【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
複合雄型ファスナコンポーネントを１対の航空機の部品を通して配置し、この複合雄型ファスナコンポーネントはシャフトおよび機械的な固定構造を有し、
複合雌型ファスナコンポーネントをシャフトの周囲に、シャフトのねじを有する部分に隣接して配置し、複合雄型ファスナコンポーネントは航空機の１対の部品を通って配置され、複合雌型ファスナコンポーネントはカーボンファイバおよび樹脂で構成され、円筒形の形状を有し、
複合雌型ファスナコンポーネントの一部を溶融させ機械的な固定構造へ流動させるように熱および力を複合雌型ファスナコンポーネントに加え、
溶融した複合雌型ファスナコンポーネントの一部が再固化するように熱および力を除去するステップを含んでおり、複合雌型ファスナコンポーネントは複合雄型ファスナコンポーネントに取付けられ、１対の結合する航空機の部品は機械的に相互に接合される航空機の複合構造の組立て方法。
【請求項２】
複合雌型ファスナコンポーネントは外見が円筒形の形状を有し、複合雄型ファスナコンポーネントのねじを有する部分と機械的に相互結合するように設計されている複合雌型ファスナコンポーネントの内部のねじを有する部分を有している請求項１記載の方法。
【請求項３】
さらに、材料の被覆を複合雄型および雌型ファスナコンポーネントに施し、
航空機の１対の部品を通って複合雄型ファスナコンポーネントを位置させる前に被覆を硬化するため複合雄型および雌型ファスナコンポーネントを熱処理するステップを含んでいる請求項１記載の方法。
【請求項４】
複合雄型ファスナコンポーネントを第１の部品と第２の部品を通して配置し、その複合雄型ファスナコンポーネントは機械的な固定構造を有し、
複合雌型ファスナコンポーネントを複合雄型ファスナコンポーネントの機械的な固定構造の周囲で流動状態にし、
複合雄型ファスナコンポーネントのねじを有する部分の周囲で流動状態にされた複合雌型ファスナコンポーネントの部分を固化するステップを含み、それによって複合雌型ファスナコンポーネントは複合雄型ファスナコンポーネントに取付けられる部品の取付け方法。
【請求項５】
複合雌型ファスナコンポーネントを流動させるステップは、複合雌型ファスナコンポーネントの一部を複合雄型ファスナコンポーネントのねじ付けされた部分の周囲に流動させるための熱を与えるステップを含んでいる請求項４記載の方法。
【請求項６】
固化ステップは、複合雌型ファスナコンポーネントを、複合雌型ファスナコンポーネントが複合雄型ファスナコンポーネントに取付けられるように複合雌型ファスナコンポーネントを固化させるために複合雌型ファスナコンポーネントを冷却するステップを含んでいる請求項４記載の方法。
【請求項７】
冷却ステップは、複合雌型ファスナコンポーネントへの熱の供給を停止するステップを含んでいる請求項６記載の方法。
【請求項８】
複合雌型ファスナコンポーネントを流動させるステップは、さらに熱を複合雌型ファスナコンポーネントに与えながら複合雌型ファスナコンポーネントに圧力を加えるステップを含んでいる請求項５記載の方法。
【請求項９】
複合雌型ファスナコンポーネントは、複合雄型ファスナコンポーネントのねじを有する部分と機械的に相互作用するように設計されている複合雌型ファスナコンポーネントの内部にねじを有する部分を有する請求項４記載の方法。
【請求項１０】
第１の複合航空機部品と、
第２の複合航空機部品と、
第１の複合航空機部品および第２の複合航空機部品を通して配置され、機械的な固定構造を有する複合雄型ファスナコンポーネントと、
前記複合雄型ファスナコンポーネントに取付けられた複合雌型ファスナコンポーネントとを具備しており、
複合雌型ファスナコンポーネントはその一部を複合雄型ファスナコンポーネントの機械的な固定構造の周囲で流動状態にさせ、複合雌型ファスナコンポーネントを複合雄型ファスナコンポーネントに接合するようにねじを有する部分周囲で再固化させるように処理することにより複合雌型ファスナコンポーネントが複合雄型ファスナコンポーネントに取付けられている複合航空機構造。
【手続補正２】
【補正対象書類名】明細書
【補正対象項目名】００６４
【補正方法】変更
【補正の内容】
【００６４】
種々の異なる有効な実施形態の説明は例示および説明の目的で提示され、説明した形態に本発明を限定することを意図しているものではない。多くの変形および変化は当業者に明白であろう。さらに、異なる有効な実施形態は他の有効な実施形態と比較して異なる利点を与えることができる。選択された実施形態は本発明の原理、実際の応用を最良に説明し、他の当業者が考慮される特定の使用に適するように種々の変形を有する種々の実施形態を理解することを可能にするために選択され説明された。
また、本発明は以下に記載する態様を含む。
（態様１）
複合雄型ファスナコンポーネントを１対の航空機の部品を通して配置し、この複合雄型ファスナコンポーネントはシャフトおよび機械的な固定構造を有し、
複合雌型ファスナコンポーネントをシャフトの周囲に、シャフトのねじを有する部分に隣接して配置し、複合雄型ファスナコンポーネントは航空機の１対の部品を通って配置され、複合雌型ファスナコンポーネントはカーボンファイバおよび樹脂で構成され、円筒形の形状を有し、
複合雌型ファスナコンポーネントの一部を溶融させ機械的な固定構造へ流動させるように熱および力を複合雌型ファスナコンポーネントに加え、
溶融した複合雌型ファスナコンポーネントの一部が再固化するように熱および力を除去するステップを含んでおり、複合雌型ファスナコンポーネントは複合雄型ファスナコンポーネントに取付けられ、１対の結合する航空機の部品は機械的に相互に接合される航空機の複合構造の組立て方法。
（態様２）
複合雌型ファスナコンポーネントは外見が円筒形の形状を有し、複合雄型ファスナコンポーネントのねじを有する部分と機械的に相互結合するように設計されている複合雌型ファスナコンポーネントの内部のねじを有する部分を有している態様１記載の方法。
（態様３）
樹脂は熱可塑性重合体樹脂または熱硬化性重合体樹脂の一つから選択される態様１記載の方法。
（態様４）
さらに、材料の被覆を複合雄型および雌型ファスナコンポーネントに施し、
航空機の１対の部品を通って複合雄型ファスナコンポーネントを位置させる前に被覆を硬化するため複合雄型および雌型ファスナコンポーネントを熱処理するステップを含んでいる態様１記載の方法。
（態様５）
第１の部品と第２の部品は複合部品である態様１記載の方法。
（態様６）
機械的固定構造はねじまたは同心円の溝の一つである態様１記載の方法。
（態様７）
複合雄型ファスナコンポーネントを第１の部品と第２の部品を通して配置し、その複合雄型ファスナコンポーネントは機械的な固定構造を有し、
複合雌型ファスナコンポーネントを複合雄型ファスナコンポーネントの機械的な固定構造の周囲で流動状態にし、
複合雄型ファスナコンポーネントのねじを有する部分の周囲で流動状態にされた複合雌型ファスナコンポーネントの部分を固化するステップを含み、それによって複合雌型ファスナコンポーネントは複合雄型ファスナコンポーネントに取付けられる部品の取付け方法。
（態様８）
複合雌型ファスナコンポーネントを流動させるステップは、複合雌型ファスナコンポーネントの一部を複合雄型ファスナコンポーネントのねじ付けされた部分の周囲に流動させるための熱を与えるステップを含んでいる態様７記載の方法。
（態様９）
固化ステップは、複合雌型ファスナコンポーネントを、複合雌型ファスナコンポーネントが複合雄型ファスナコンポーネントに取付けられるように複合雌型ファスナコンポーネントを固化させるために複合雌型ファスナコンポーネントを冷却するステップを含んでいる態様７記載の方法。
（態様１０）
冷却ステップは、複合雌型ファスナコンポーネントへの熱の供給を停止するステップを含んでいる態様９記載の方法。
（態様１１）
複合雌型ファスナコンポーネントを流動させるステップは、さらに熱を複合雌型ファスナコンポーネントに与えながら複合雌型ファスナコンポーネントに圧力を加えるステップを含んでいる態様７記載の方法。
（態様１２）
複合雌型ファスナコンポーネントは、複合雄型ファスナコンポーネントのねじを有する部分と機械的に相互作用するように設計されている複合雌型ファスナコンポーネントの内部にねじを有する部分を有する態様７記載の方法。
（態様１３）
複合雌型ファスナコンポーネントは熱可塑性重合体樹脂または熱硬化性重合体樹脂の一つから選択される樹脂を含んでいる態様７記載の方法。
（態様１４）
第１の部品と第２の部品は複合部品である態様７記載の方法。
（態様１５）
機械的固定構造は１つのねじまたは同心円の溝である態様７記載の方法。
（態様１６）
第１の複合航空機部品と、
第２の複合航空機部品と、
第１の複合航空機部品および第２の複合航空機部品を通して配置され、機械的な固定構造を有する複合雄型ファスナコンポーネントと、
前記複合雄型ファスナコンポーネントに取付けられた複合雌型ファスナコンポーネントとを具備しており、
複合雌型ファスナコンポーネントはその一部を複合雄型ファスナコンポーネントの機械的な固定構造の周囲で流動状態にさせ、複合雌型ファスナコンポーネントを複合雄型ファスナコンポーネントに接合するようにねじを有する部分周囲で再固化させるように処理することにより複合雌型ファスナコンポーネントが複合雄型ファスナコンポーネントに取付けられている複合航空機構造。
（態様１７）
第１の複合航空機部品と第２の複合航空機部品は航空機の翼の部品である態様１６記載の複合航空機構造。
（態様１８）
第１の複合航空機部品と第２の複合航空機部品は航空機の構造コンポーネントである態様１６記載の複合航空機構造。